(57)【要約】【課題】記録媒体中のダミートラックを検出してコンテンツデータの再生及び記録に活用できるコンテンツデータ再生装置を提供する。【解決手段】コンテンツデータと、その管理データが記録された音楽ＣＤ（Compact Disc）に対して、オーディオデータの音声レベルが所定値以下である無音声区間を検出する。そして、検出された無音声区間の直前のデータ区間の終了位置及び無音声区間に続くデータ区間の開始位置に対応してフラグを生成し、そのフラグ及びＴＯＣデータに基づいて記録媒体に記録されたコンテンツの記録・再生を制御する。【選択図】図１
2005129103.tif 000002
【特許請求の範囲】
【請求項１】
コンテンツデータと該コンテンツデータを管理する管理データとが記録された記録媒体を再生するコンテンツデータ再生装置において、
上記記録媒体に記録されたコンテンツデータのうち特徴的なデータが記録された特定データ区間を検出する特定データ区間検出手段と、
コンテンツの上記検出された特定データ区間の直前のデータ区間の終了位置及び特定データ区間に続くデータ区間の開始位置に対応してフラグを生成するフラグ生成手段と、
上記フラグ生成手段にて生成したフラグ及び上記管理データを記憶するフラグ記憶手段と、
上記生成されたフラグに応じて上記記録媒体に記録されたコンテンツデータを再生する再生手段と
を備えることを特徴とするコンテンツデータ再生装置。
【請求項２】
上記再生手段は、上記特定データ区間検出手段にて検出された特定データ区間を再生しないことを特徴とする請求項１記載のコンテンツデータ再生装置。
【請求項３】
上記コンテンツデータを記録する記録手段を備え、
上記記録手段は、上記特定データ区間検出手段にて検出された特定データ区間を記録しないことを特徴とする請求項１記載のコンテンツデータ再生装置。
【請求項４】
上記再生手段は、上記記録手段に記録されたコンテンツを再生する際に、上記フラグ記憶手段に記憶されたフラグ及び上記管理データに基づいて上記特定データ区間を再現再生することを特徴とする請求項３記載のコンテンツデータ再生装置。
【請求項５】
上記特定データ区間は、無音声区間であることを特徴とする請求項１記載のコンテンツデータ再生装置。
【請求項６】
上記特定データ区間検出手段は、音声レベル情報から無音声区間を検出することを特徴とする請求項５記載のコンテンツデータ再生装置。
【発明の詳細な説明】
【技術分野】
【０００１】
本発明は、記録媒体に記録されたコンテンツデータを再生するコンテンツデータ再生装置に関する。
【背景技術】
【０００２】
音声・映像等のコンテンツは、様々な記録媒体によって提供されている。例えば音楽コンテンツは、一般に、光ディスクとして提供されており、標準的なＣＤ（Compact Disc）フォーマット（ＣＤ−ＤＡ（Compact Disc Digital Audio）フォーマット）に従い、データが記録されている。この光ディスクは、音楽データなどのプログラムデータが記録されたデータ領域と、その内側に設けられたリードイン領域とを有しており、リードイン領域には、データ領域の記録位置や記録内容を示す管理情報ＴＯＣ（Table of Contents）が記録されている。
【０００３】
近年では、ＣＤやＤＶＤ（Digital Versatile Disc）にて提供されるコンテンツデータをハードディスクや他の記録媒体に記録してパーソナルコンピュータ若しくはこれに準ずる情報処理機能を備えた機器によって管理することが行われている。
【０００４】
例えば、音楽ＣＤのコンテンツをＭＤ（Mini Disc:商標）に記録する場合、特に、ユーザが手動にて記録操作を行う場合、光学ヘッドの立ち上げやアクセスに必要な時間等を含めたタイムラグが発生するため、録音開始操作がされたタイミングよりも実際の録音開始が遅れることがある。そのため、ユーザは、タイムラグを見計らってコンテンツ開始前からある程度の時間余分に録音操作を行う必要があった。そのうえ、このようにタイムラグをもって記録された音楽コンテンツは、厳密な再生タイミングが要求される場面では不都合である。
【０００５】
そこで、コンテンツが記録された後のＭＤに対して、先頭部分に無音部分をもって記録されてしまったＭＤ上の音楽コンテンツデータの無音部分のＵ−ＴＯＣを自動的に更新することで、無音部分を再生しないようにする技術が提案されている（例えば、特許文献１参照。）。
【０００６】
この技術では、無音部分は、新たなフリーエリアとされる場合、トラッシュエリアとされる場合等が説明されているが、昨今ハードディスクや記録媒体の大容量化が進んでいるなかで、多数の曲を記録することを想定すると、上述のように発生するタイムラグ部分（無音声部分）を記憶するための記録容量が無駄になってしまう。
【０００７】
ところで、音楽用ＣＤのなかには制作したアーティストの意向などから、その付加価値を高めるためにジャケット（パッケージ）や歌詞カードに記載されていないトラック（曲）やインタビューなどが存在するものがある。これらは、シークレットトラックと呼ばれ、例えば、秘密性を強調するために、シークレットトラックの前に故意に複数の無音声トラックを配置したり、シークレットトラック自体に長時間の無音声区間を含ませたりして編集されている。以下、これら無音声トラックやトラック内の無音声区間をダミートラックと記す。
【０００８】
ユーザがシークレットトラックを含むコンテンツを上述のようにハードディスクや他の記録媒体に記録して管理しようとすると、通常、もとのＣＤと同様の構成にて記録されるため、ダミートラックも当然記録されてしまう。しかし、一旦シークレットトラックを発見したユーザにとってはダミートラックを除いて再生するための操作を行うことが煩わしいだけでなく、上述した録音操作にかかるタイムラグ分の記憶容量と同様、ハードディスクや他の記録媒体にコンテンツを記録した際に、ダミートラックが占めるリソースが無駄になってしまう。
【０００９】
【特許文献１】特開平１０−１９９２１１号公報
【発明の開示】
【発明が解決しようとする課題】
【００１０】
本発明は、上記した問題点に鑑み、記録媒体中のダミートラックを検出してコンテンツデータの再生及び記録に活用できるコンテンツデータ再生装置を提供することを目的とする。
【課題を解決するための手段】
【００１１】
上述した目的を達成するために、本発明に係るコンテンツデータ再生装置は、コンテンツデータと該コンテンツデータを管理する管理データとが記録された記録媒体を再生するコンテンツデータ再生装置において、記録媒体に記録されたコンテンツデータのうち特徴的なデータが記録された特定データ区間を検出する特定データ区間検出手段と、検出された特定データ区間の直前のデータ区間の終了位置及び特定データ区間に続くデータ区間の開始位置に対応してフラグを生成するフラグ生成手段と、フラグ生成手段にて生成したフラグ及び管理データを記憶するフラグ記憶手段と、生成されたフラグに応じて記録媒体に記録されたコンテンツデータを再生する再生手段とを備える。
【００１２】
再生手段は、フラグに基づいて、特定データ区間検出手段にて検出された特定データ区間を再生しないようにする。また、コンテンツデータを記録する記録手段を設けた場合には、記録手段は、フラグに基づいて、特定データ区間検出手段にて検出された特定データ区間を記録しないようにする。ただし、このとき再生手段は、記録手段に記録されたコンテンツを再生する際に、フラグ記憶手段に記憶されたフラグ及び管理データに基づいて特定データ区間を再現再生できるようにする。
【００１３】
ここで、特定データ区間検出手段は、無音声区間である。また、この無音声区間は、音声レベル情報から検出される。
【発明の効果】
【００１４】
本発明に係るコンテンツデータ再生装置によれば、特定データ区間を検出し再生しないようにできる。また、特定データ区間を含む一連のコンテンツデータを記録媒体に記録する際には、特定データ区間を記録しないようにして記録容量の無駄をなくすことができる。
【発明を実施するための最良の形態】
【００１５】
本発明の具体例として示すコンテンツデータ再生装置は、コンテンツデータとしてオーディオデータと、その管理データとしてＴＯＣ（Table of Contents）データが記録された音楽ＣＤ（Compact Disc）に対して、オーディオデータの音声レベルが所定値以下である無音声区間を検出する。そして、検出された無音声区間の直前のデータ区間の終了位置及び無音声区間に続くデータ区間の開始位置に対応してフラグを生成し、そのフラグ及びＴＯＣデータに基づいて記録媒体に記録されたコンテンツの記録・再生を制御する。
【００１６】
以下、本発明の実施の形態について図面を参照しながら詳細に説明する。本発明を適用したコンテンツデータ再生装置は、専らオーディオデータの再生を目的としたＣＥ（Consumer Electronics）機器であり、ＣＤ−ＤＡ（Compact Disc Digital Audio）型コンパクトディスクやマルチセッション型であるＣＤ−Ｅｘｔｒａ型コンパクトディスク等の再生が可能な装置である。
【００１７】
図１に示すように、本発明の適用例として示すコンテンツデータ再生装置１１は、コンパクトディスク規格に準拠したコンパクトディスク等の光ディスク１０を回転するモータ１２と、モータ１２の回転を制御する回転制御部１３と、光ディスク１０に対して光ビームを出射し反射した戻りの光ビームを検出する光ピックアップ１４と、光ピックアップ１４を光ディスク１０の径方向に送り操作するスレッド機構１５と、光ピックアップ１４からの出力よりＲＦ信号等を生成するＲＦアンプ１６と、光ピックアップ１４の対物レンズのフォーカシングサーボ制御及びトラッキングサーボ制御を行うサーボ制御部１７とを備える。
【００１８】
また、コンテンツデータ再生装置１１は、ＲＦアンプ１６から出力されたＲＦ信号より同期信号を検出しクロックを生成する同期信号検出部１８と、ＥＦＭ変調（Eight to Fourteen Modulation）されているオーディオデータ等の記録データを復調する復調部１９と、復調されたデータのエラー訂正処理を行うエラー訂正処理部２０と、エラー訂正処理部２０のエラー訂正能力を超えたエラーを補間する補間処理部２１と、エラーが補間されたデータから無音等のユーザにとって有効ではない区間を検出する検出部２２と、ディジタルデータのオーディオデータ等の記録データをアナログに変換するディジタル／アナログ変換部（以下、単にＤ／Ａ変換部という。）２３と、変換されたアナログデータを出力するアナログ出力端子２４と、ディジタルデータのオーディオデータ等の記録データそのまま出力するディジタル出力端子２５とを備える。
【００１９】
更に、コンテンツデータ再生装置１１は、ＲＦ信号より復調部１９の前段でサブコードデータを抽出し復調するサブコード復調部２６と、サブコード復調部２６で復調したサブコードデータより抽出したＴＯＣデータを保存するメモリ２７と、ユーザによって操作される操作部２８と、装置の動作に関連した情報を表示する表示部２９と、全体の動作を制御する制御部３０とを備える。
【００２０】
モータ１２は、駆動軸にディスクテーブルが一体的に設けられており、光ディスク１０の回転駆動部となる。ディスクテーブルは、光ディスク１０のセンタ孔に係合することによって、光ディスク１０のセンタリングを図った状態でクランプする。そして、モータ１２は、ディスクテーブルと一体的に光ディスク１を回転する。なお、ここで、ディスクテーブルに装着される光ディスク１０は、主として、ＣＤ−ＤＡ型のコンパクトディスク、マルチセッション型のコンパクトディスクであるが、その他、コンパクトディスクより高密度記録された、ＤＶＤ（Digital Versatile Disc）、ブルーレイディスク等であってもよい。
【００２１】
回転制御部１３は、光ディスク１０が線速度一定に回転するようにモータ１２を駆動制御する。回転制御部１３は、同期信号より生成したクロックが水晶発振器からの基準クロックと周波数、位相と同期するように回転サーボ信号を生成し、この回転サーボ信号に基づいて光ディスク１０が線速度一定で回転するようにモータ１２を駆動制御する。なお、回転制御部１３は、線速度一定で光ディスク１０を回転する他に、角速度一定で光ディスク１０を回転するようにしてもよい。
【００２２】
光ピックアップ１４は、光ビームを出射する半導体レーザ、半導体レーザより出射された光ビームを集束する対物レンズ、光ディスク１０の反射膜で反射された戻りの光ビームを検出する光検出器等を備える。半導体レーザより出射された光ビームは、対物レンズにより集束され、光ディスク１０の信号記録面に照射される。光ディスク１０の信号記録面で反射された戻りの光ビームは、光検出器により電気信号に変換され、光検出器は、この電気信号をＲＦアンプ１６に出力する。また、対物レンズは、２軸アクチュエータ等の対物レンズ駆動機構に保持され、対物レンズの光軸と平行なフォーカシング方向及び対物レンズの光軸に直交するトラッキング方向に駆動変位される。
【００２３】
スレッド機構１５は、光ピックアップ１４を光ディスク１０の内外周に亘って直線的に移動させる。具体的に、スレッド機構１５は、待機時において、光ディスク１０の最内周側に位置させ、内周側から順次読出を行うとき、光ピックアップ１４を内周側から外周側に順に移動する。また、スレッド機構１５は、ユーザによって順方向又は逆方向のトラックジャンプ操作がされたとき、ユーザが指定したトラックの読出を行うことができるように、光ピックアップ１４を移動する。
【００２４】
ＲＦアンプ１６は、光ピックアップ１４を構成する光検出器からの出力信号に基づいて、ＲＦ信号、フォーカシングエラー信号及びトラッキングエラー信号を生成する。例えばフォーカシングエラー信号は、非点収差法等により生成され、トラッキングエラー信号は、３ビーム法、プッシュプル法等により生成される。ＲＦアンプ１６は、同期信号検出部１８を介してＲＦ信号をＥＦＭ変調されたデータを復調するため復調部１９に出力すると共に、フォーカシングエラー信号及びトラッキングエラー信号をサーボ制御部１７に出力する。
【００２５】
サーボ制御部１７は、ＲＦアンプ１６から入力されたフォーカシングエラー信号やトラッキングエラー信号に基づいて、これらのエラー信号がゼロとなるようなフォーカシングサーボ信号やトラッキングサーボ信号を生成し、これらのサーボ信号を光ピックアップ１４の対物レンズ駆動機構の駆動回路に出力する。これにより、対物レンズ駆動機構に保持された対物レンズは、フォーカシングサーボ信号やトラッキングサーボ信号に基づいて、対物レンズの光軸と平行なフォーカシング方向及び対物レンズの光軸に直交するトラッキング方向に駆動変位される。
【００２６】
同期信号検出部１８は、ＲＦアンプ１６より出力されたＲＦ信号より、フレーム同期信号を検出すると共に、サブコードを復調する際の同期信号を検出し、検出した同期信号を回転制御部１３に出力する。
【００２７】
復調部１９は、ＥＦＭのアルゴリズムに従ってオーディオデータ等の記録データを復調する。具体的に、復調部１９は、ＥＦＭ変換テーブルに従って、１４ビットの記録符号系列のデータビットを８ビットの系列のデータビットに変換し復調する。
【００２８】
エラー訂正処理部２０は、１２シンボルで構成された主信号データに次いで設けられた訂正用パリティに格納されたリードソロモン符号を用いて復号処理する。エラー訂正処理部２０は、ＣＩＲＣ（Cross Interleave Reed-Solomon Code）で用いられている２段のリードソロモン符号の内、最初のＣ１符号によってランダムエラーの訂正処理を行い、次いで、デインターリーブ処理を行い、次いで、Ｃ２符号を用いてバーストエラーの訂正処理を行い、補間処理部２１に出力する。補間処理部２１は、ＣＩＲＣのエラー訂正能力を超えたエラーの平均値補間等の補間処理を行う。
【００２９】
検出部２２は、補間処理されたディジタルデータから、無音等の特定データ区間を検出する。無音声区間の検出では、オーディオデータの音声レベルが所定値以下である区間を検出する。なお、一定音が長時間続くような有音であっても、検出できるようにディジタルデータの変化量に基づいて検出するようにしてもよい。
【００３０】
Ｄ／Ａ変換部２３は、検出部２２から入力されたディジタルデータをアナログデータに変換し、スピーカ、イヤホン、ヘッドフォン等の電気音響変換器（図示せず）が接続されたアナログ出力端子２４に出力する。
【００３１】
ディジタル出力端子２５は、検出部２２からのディジタルデータをそのまま出力し、ディジタル記録媒体（図示せず）に接続される。ディジタル記録媒体には、ハードディスク、CD−R（Compact Disc Recordable）、CD−RW（Compact Disc Rewritable）、MD（Mini Disc：商標）等が用いられる。
【００３２】
サブコード復調部２６は、ＲＦアンプ１６で生成されたＲＦ信号よりＰチャンネルやＱチャンネルのサブコードを抽出する。このサブコードデータは、上述のＥＦＭ変換テーブルのアウトオブルールで変調されており、サブコード復調部２６は、ＥＦＭ変換テーブルのアウトオブルールで１４ビットの記録符号系列のデータビットを８ビットの系列のデータビットに変換し復調し、復調して得られたＴＯＣデータ等を制御部３０に出力する。
【００３３】
メモリ２７は、サブコード復調部２６が復調したＴＯＣデータを保持する。具体的に、メモリ２７には、光ディスク１０のリードインエリアに格納されたサブコードのＱチャンネルのデータが格納される。コンテンツデータ再生装置１１は、光ディスク１０がディスクテーブルに装着されると、光ディスク１０の最内周のリードインエリアにアクセスし、リードインエリアに記録されたＴＯＣデータを読み出し、メモリ２７に記憶する。また、メモリ２７は、検出部２２で検出された特定データ区間の直前のデータ区間の終了位置及び特定データ区間に続くデータ区間の開始位置を記憶する。
【００３４】
操作部２８は、光ディスク１０から記録・再生するための開始、停止、一時停止等の機能を実行するための押しボタン、無音等の特定データ区間を自動除去するダミートラック除去ボタン、ダイヤル等で構成されている。操作部２８は、ユーザによって操作されると、操作信号を発生し、発生した操作信号を制御部３０に入力する。
【００３５】
表示部２９は、液晶表示パネル等で構成されており、メモリ２７に保存されているＴＯＣデータ又は管理データに基づいて再生時間、再生中のトラックナンバ、タイトル等を文字、記号等を用いて表示する。
【００３６】
制御部３０は、コンテンツデータ再生装置１１の機能を実現するためのプログラム等が格納されたＲＯＭ（Read Only Memory）、ＲＯＭに保存されたプログラム、メモリ２７から読み出したＴＯＣデータ、管理リスト等が一時的にロードされるＲＡＭ（Random Access Memory）、ＲＯＭに格納されたプログラム等に応じて演算するＣＰＵ（Central Processing Unit）等で構成されている。制御部３０は、操作部２８から入力された操作信号に応じて全体の動作を制御する。例えば、操作部２８よりトラックジャンプの操作信号が入力されたとき、制御部３０は、スレッド機構１５を駆動し、光ピックアップ１４を、指定されたトラックの先頭位置まで移動する。また、制御部３０は、操作部２８より再生開始信号が入力されると、スレッド機構１５を駆動し、光ピックアップ１４を、光ディスク１０の内周側から順に移動させる。また、制御部３０は、後述するように検出部２２で検出された特定データ区間の直前のデータ区間の終了位置及び特定データ区間に続くデータ区間の開始位置に対応してフラグを生成する。
【００３７】
次に、図２を参照にして、光ディスク１０に記録されるＴＯＣデータについて説明する。ＴＯＣデータは、Red BookやOrange Bookなどに規格化されており、このＴＯＣデータには、４ビットのコントロールブロックＣＮＴ、４ビットのアドレスブロックＡＤＲ、８ビットのトラック番号ブロックＴＮＯ、８ビットのポイントブロックＰＯＩＮＴ、８ビットの分成分ブロックＭｉｎ、８ビットの秒成分ブロックＳｅｃ、８ビットのフレーム成分ブロックＦｒａｍｅ、「０」が記録された８ビットのゼロブロックＺＥＲＯ、８ビットの分成分ブロックＰｍｉｎ、８ビットの秒成分ブロックＰｓｅｃ、フレーム成分ブロックＰｆｒａｍｅが設けられている。コントロールブロックＣＮＴには、データ用であるとき「１」が設定され、オーディオ用であるとき「０」が設定されている。また、コントロールブロックＣＮＴは、トラック毎に記録されており、ポイントブロックＰＯＩＮＴが１〜９９の場合、トラックナンバを示し、このトラックナンバそのものがオーディオ用であることを示し、これ以外のとき、データ用であることを示す。
【００３８】
アドレスブロックＡＤＲは、ＣＤ−ＤＡ型であるか、マルチセッション型であるかの識別データが記録されている。具体的に、ＣＤ−ＤＡ型のRed Book規格に従っているとき、「１」が設定され、マルチセッション型のOrange Book規格に従っているとき、「５」が設定されている。
【００３９】
トラック番号ブロックＴＮＯには、リードインエリア３ａ，４ａを示す「０」が設定されている。
【００４０】
ポイントブロックＰＯＩＮＴには、アドレスブロックＡＤＲがＣＤ−ＤＡ型を示す「１」が設定されているとき、１６進数の「Ａ０」、「Ａ１」及び「Ａ２」並びに１０進数の「０１」〜「９９」が設定されている。「Ａ０」を設定したときに、秒成分ブロックＰｓｅｃに「＄００」又は「＄２０」を設定する場合は、分成分ブロックＰｍｉｎに最初のトラックナンバが設定される。秒成分ブロックＰｓｅｃに「＄１０」を設定する場合は、分成分ブロックＰｍｉｎに最後のトラックナンバ＋１が設定される。「Ａ１」が設定されたときには、分成分ブロックＰｍｉｎに最後のトラックナンバ又は最後のトラックナンバ＋１が設定され、秒成分ブロックＰｓｅｃ及びフレーム成分ブロックＰｆｒａｍｅは「０」が設定される。「Ａ２」が設定されたときには、分成分ブロックＰｍｉｎ、秒成分ブロックＰｓｅｃ及びフレーム成分ブロックＰｆｒａｍｅに、リードアウトエリア３ｃ，４ｃの開始時間が設定される。「０１」〜「９９」が設定されたときには、分成分ブロックＰｍｉｎ、秒成分ブロックＰｓｅｃ及びフレーム成分ブロックＰｆｒａｍｅに、各トラックの開始時間が設定される。
【００４１】
なお、ポイントブロックＰＯＩＮＴにＣ０が設定されたディスクでは、アドレスブロックＡＤＲが「１」に設定されているとき、分成分ブロックＭｉｎ、秒成分ブロックＳｅｃ及びフレーム成分ブロックＦｒａｍｅには、絶対時間が記録されている。すなわち、ＰＯＩＮＴにＣ０が設定されていないときには、分成分ブロックＭｉｎ、秒成分ブロックＳｅｃ及びフレーム成分ブロックＦｒａｍｅに絶対時間が記録されない。なお、以下、秒成分ブロックＳｅｃ及びフレーム成分ブロックＦｒａｍｅを単に「ＭＳＦ（Min,Sec,Frame）」ともいう。
【００４２】
また、ポイントブロックＰＯＩＮＴには、アドレスブロックＡＤＲが「５」に設定されているとき、「Ｂ０」、「Ｃ０」等が設定されている。「Ｂ０」が設定されているとき、ＭＳＦには、次のプログラムエリアの開始時間が記録されている。例えば、２セッションで構成されているとき、第１セッション３のポイントブロックＰＯＩＮＴに「Ｂ０」が設定されていると、ＭＳＦには、第２セッション４のプログラムエリア４ｂの開始時間が記録される。また、３セッションで構成されているときには、第１セッションのポイントブロックＰＯＩＮＴに「Ｂ０」が設定されていると、ＭＳＦは、第２セッションのプログラムエリア４ｂの開始時間を示し、第２セッションのポイントブロックＰＯＩＮＴに「Ｂ０」が設定されていると、ＭＳＦは、第３セッションのプログラムエリアの開始時間を示す。
【００４３】
また、「Ｂ０」が設定されているとき、分成分ブロックＰｍｉｎ、秒成分ブロックＰｓｅｃ及びフレーム成分ブロックＰｆｒａｍｅには、最も外側のリードアウトエリアの最大開始時間が記録されている。
【００４４】
「Ｃ０」は、最初のセッションのリードインエリアのポイントブロックＰＯＩＮＴに設定されることがある。「Ｃ０」が設定されているとき、分成分ブロックＰｍｉｎ、秒成分ブロックＰｓｅｃ及びフレーム成分ブロックＰｆｒａｍｅには、最初のリードインエリアの開始時間が記録されている。
【００４５】
本発明の実施形態におけるコンテンツデータ再生装置１１は、このＴＯＣデータと制御部３０で生成したフラグに基づいて特定データ区間の記録・再生を制御する。
【００４６】
次に、検出部２２で検出された特定データ区間の除去について説明する。ここでは、特定データ区間として無音声区間を例にして説明する。音楽CD等のオーディオデータには、図３に示すように通常のトラックの後に音楽CD等のジャケット（パッケージ）などに記載されていないトラック、いわゆるシークレットトラックが存在することがある。図３のオーディオデータ（ａ）〜（ｅ）には、通常のトラックが２つとシークレットトラックが１つの計３曲が収録されており、シークレットトラックの前、又は後には、秘密性を強調するために無音トラックやトラック内の無音声区間などのダミートラックが存在している。ＴＯＣデータには、このダミートラックの管理データが記録されており、各トラックの開始時間及び絶対時間が記載されている。
【００４７】
図３の（ａ）は、通常のトラックｔ２の後、複数の無音声のトラック（ｔ３〜ｔｎ−１）が存在し、シークレットトラックは、ｎ番目のトラックに記録されている。このような場合、検出部２２は、無音声区間、すなわち無音声のトラックを検出し、制御部３０は、メモリ２７に記憶されたＴＯＣデータに基づいて無音声区間の直前のデータ区間の終了位置及び無音声区間に続くデータ区間の開始位置に対応してフラグを生成し、メモリ２７に記憶させる。そして、制御部３０は、フラグ及びＴＯＣデータに基づいて無音トラックを再生しないように制御する。また、制御部３０は、フラグ及びＴＯＣデータに基づいてトラックを再編成し、シークレットトラックのトラック番号が３番であると表示部２９に表示する。このようにして、シークレットトラックは、（ｆ）に示すように、あたかも３曲目であるかのように再生することができる。
【００４８】
図３（ｂ）は、トラックｔ２内に通常の２曲目とシークレットトラックとが存在し、無音声区間がその間に記録されている。この場合も同様にして、検出部２２は、この無音声区間を検出し、制御部３０は、メモリ２７に記憶されたＴＯＣデータに基づいて無音声区間の直前のデータ区間の終了位置及び無音声区間に続くデータ区間の開始位置に対応してフラグを生成生成し、メモリ２７に記憶させる。トラックｔ２は、図４（ｂ２）に示すように、フラグ及びＴＯＣデータに基づいて３つの区間（ｔ２１、ｔ２２、ｔ２３）に分けられる。制御部３０は、分けられた3つの区間のうち（ｂ３）に示すようにフラグが生成されたｔ２２の無音声区間を再生しないように制御する。また、シークレットトラックはトラック番号が３番であると表示部２９に表示される。
【００４９】
図３（ｃ）、（ｄ）は、トラック番号ｔ３にシークレットトラックと無音声区間とが存在している。この場合も同様にして、検出部２２は、この無音声区間を検出し、制御部３０は、メモリ２７に記憶されたＴＯＣデータに基づいて無音声区間の直前のデータ区間の終了位置及び無音声区間に続くデータ区間の開始位置に対応してフラグを生成し、メモリ２７に記憶させる。そして、制御部３０は、フラグ及びＴＯＣデータに基づいて無音声区間を再生しないように制御する。また、制御部３０は、フラグ及びＴＯＣデータに基づいてトラックを再編成する。また、シークレットトラックはトラック番号が３番であると表示部２９に表示される。
【００５０】
図３（ｅ）は、図３（ｃ）、（ｄ）と同様にトラック番号ｔ３にシークレットトラックと無音声区間とが存在しているが、シークレットトラックが無音声区間で挟まれている場合である。この場合、図３（ｂ）のときと同様に、検出部２２は、この無音声区間を検出し、制御部３０は、メモリ２７に記憶されたＴＯＣデータに基づいて無音声区間の直前のデータ区間の終了位置及び無音声区間に続くデータ区間の開始位置に対応してフラグを生成生成し、メモリ２７に記憶させる。トラックｔ３は、フラグ及びＴＯＣデータに基づいて３つの区間に分けられる。制御部３０は、（ｆ）に示すように分けられた3つの区間のうちフラグが生成された２つの無音声区間を再生しないように制御する。また、シークレットトラックはトラック番号が３番であると表示部２９に表示される。
【００５１】
このように、ＴＯＣデータに基づいて無音声区間の直前のデータ区間の終了位置及び無音声区間に続くデータ区間の開始位置に対応してフラグを生成させることにより、無音声区間を除去したように再生することができる。したがって、早送りなどのユーザ操作が不要となるだけでなく、無音声区間を聴く不快感からも開放される。また、記録時には、無音声区間が記録されないため、記録媒体のデータ領域を削減することができる。
【００５２】
図５は、上述したコンテンツデータ再生装置１１における記録・再生処理を説明するフローチャートである。
【００５３】
先ず、ステップＳ５１において、ダミートラック除去ボタンがＯＮか否かを判別する。ＯＮのときは、光ディスク１０の管理データであるＴＯＣデータとコンテンツデータであるオーディオデータとを読み込む（ステップＳ５２）。このとき、読み込まれたＴＯＣデータは、メモリ２７に記憶される。そして、検出部２２は、読み込んだ音楽データから、無音声区間などの特定データ区間を検出する（ステップＳ５３）。ダミートラック除去ボタンがＯＦＦのときは、光ディスク１０のＴＯＣデータに基づき記録・再生を行う（ステップＳ５８）。
【００５４】
ステップＳ５４において、光ディスク１０のオーディオデータの所定区間を読み込んだときはステップＳ５５に進み、読み込んでいないときにはステップＳ５２に戻りデータを読み込む。ここで例えば、シークレットトラックが存在することが多いＴＯＣデータ上の最後のトラックのみを読み込み、特定データ区間を検出するようにすれば、管理リストを作成する時間が少なくて済む。なお、ここでは光ディスク１０の所定区間の音楽データを読み込むようにしたが、オーディオデータの全てを読み込むようにしてもよい。
【００５５】
ステップＳ５５では、ステップＳ５３にて検出した特定データ区間が存在するときは、ステップＳ５６に進み、制御部３０にて編成処理を行う。
【００５６】
ここで、無音声区間を再生しないようにする編集は、著作権者の意図に反する虞があるため、ユーザにその旨の確認を行う（ステップＳ５７）。
【００５７】
ステップＳ５８において、ステップＳ５７のユーザへの確認がとれたときは、特定データ区間が編成された記録・再生を行い、確認が取れないときは、ＴＯＣデータに基づいて記録・再生を行う。
【００５８】
また、ステップＳ５５で特定データ区間が存在しなかったときにはＴＯＣデータに基づき記録・再生処理を行う。
【００５９】
このような記録・再生処理によれば、トラック等の所定区間の検出を行いながら、記録・再生することが可能となる。また、無音声区間などの特定データ区間を記録・再生しないようにする編成処理は、ユーザが選択することにより、ユーザは、好みの方法で記録・再生させることができる。
【００６０】
ここで、図５の記録再生・処理におけるの特定データ区間の検出処理（ステップＳ５３）について、図６を用いて説明する。ステップ６１では、オーディオデータの解析を行ない、音声レベルを解析する。そして、音声レベルが無音声と想定される規定値より小さいかどうかを判別する（ステップＳ６２）。規定値よりも小さい場合には、各チャンネルとも規定値より小さいかどうかを判別する（ステップＳ６３）。
【００６１】
ステップＳ６２及びステップＳ６３とも音声レベルが規定値よりも小さいときには、ステップＳ６４に進み、その音声レベルが規定時間以上続いたかどうかを判別する。規定時間以上続いていたときには、特定データ区間として記憶され（ステップＳ６５）、図５のステップＳ５４に進む。なお、特定データ区間として規定する時間は、例えばユーザが無音状態で違和感を覚える１０秒程度が適当であるが、予めユーザにその時間を設定／選択させてもよい。
【００６２】
ステップＳ６２及びステップＳ６３において、一方でも音声レベルが規定値よりも大きいときは、検出処理は終了する。また、ステップＳ６４にて規定時間以上続かないときも、検出処理は終了する。
【００６３】
また、ステップＳ５６の編成処理は、図７に示すように行われる。制御部３０は、メモリ２７に記憶されたＴＯＣデータに基づいて、ステップＳ６５で記憶された特定データ区間の直前のデータ区間の終了位置及び特定データ区間に続くデータ区間の開始位置に対応してフラグを生成し（ステップＳ７１）、位置を記憶する（ステップＳ７２）。そして、生成されたフラグに基づいてトラック番号を変えるなどの編成処理を行う（ステップＳ７３）。
【００６４】
このような検出処理及び編成処理により、コンテンツデータは、自動的に特定データ区間を記録・再生しないようにさせることができる。
【００６５】
さらに、本発明の実施形態のコンテンツデータ再生装置１１は、生成したフラグ及びＴＯＣデータをメモリ２７に記憶するので、例えば一度記憶させた音楽ＣＤ等は、また、新たに特定データ区間を検出する必要がない。このとき、制御部３０は、挿入された光ディスク１０に記録されたＴＯＣデータを読み取り、メモリ２７に記憶されたＴＯＣデータと照合し、メモリ２７からフラグを読み出す。
【００６６】
また、特定データ区間を削除して記録された記録媒体を、コンテンツデータ再生装置１１で再生するときは、その記録媒体に記録されたフラグから、オリジナルのＴＯＣデータを読み出し、そのＴＯＣデータに基づく記録・再生が可能となる。
【００６７】
なお、実施の形態としてはオーディオデータが記録された光ディスク１０を再生するものとして説明したが、これに限定されるものではない。例えば、映画等のＤＶＤにおいて、特定データ区間を有し、出演者のインタビュー、映画の主題歌などがある場合にも本発明を適用することができる。その結果、早送りなどのユーザ操作を必要としないでも、インタビュー等を簡単に読み出すことができる。
【００６８】
以上説明したように本発明のコンテンツデータ再生装置は、記録されたコンテンツデータうち無音声データ等の特徴的なデータが記録された特定データ区間を検出し、特定データ区間の直前のデータ区間の終了位置及び特定データ区間に続くデータ区間の開始位置に対応してフラグを生成し、そのフラグに応じて記録・再生を制御するようにしたため、ユーザの特定データ区間の除去操作が不要となる。また、他の記録媒体への記録時には、特定データ区間が記録されないため、記録容量を無駄にせずに有効的に使用することができる。
【図面の簡単な説明】
【００６９】
【図１】本発明の実施形態におけるコンテンツデータ再生装置の構成を示すブロック図である。
【図２】コンパクトディスクにおけるＴＯＣデータを説明する図である。
【図３】コンテンツデータ再生装置における無音声区間除去処理を説明する図である。
【図４】コンテンツデータ再生装置における無音声区間除去処理を説明する図である。
【図５】コンテンツデータ再生装置における記録・再生処理を説明するフローチャートである。
【図６】上記記録・再生処理における特定データ区間検出処理を説明するフローチャートである。
【図７】上記記録・再生処理における編成処理を説明するフローチャートである。
【符号の説明】
【００７０】
１０    光ディスク、  １１    コンテンツデータ再生装置、  １２    モータ、  １３    回転制御部、  １４    光ピックアップ、  １５    スレッド機構、  １６    ＲＦアンプ、  １７    サーボ制御部、  １８    同期信号検出部、  １９    復調部、  ２０    エラー訂正処理部、  ２１    補間処理部、  ２２    検出部、  ２３    Ｄ／Ａ変換部、  ２４    アナログ出力端子、  ２５    ディジタル出力端子、  ２６    サブコード復調部、  ２７    メモリ、  ２８    操作部、  ２９    表示部、  ３０    制御部
【図１】
2005129103.tif 000003
【図２】
2005129103.tif 000004
【図３】
2005129103.tif 000005
【図４】
2005129103.tif 000006
【図５】
2005129103.tif 000007
【図６】
2005129103.tif 000008
【図７】
2005129103.tif 000009